(57)【要約】【課題】  簡易な構造により、フロントウィンドの雨水等のドアガラスへの付着滞留を防止し、ドライバーの側方視界及びミラーの視認性の悪化を防止できるアウトサイドミラー取付け部の水滴除去構造を提供する。【解決手段】  車両側部のドア（２）にアウトサイドミラー（３）を備え、前記アウトサイドミラーは、ドアガラス（７）の前側に隣接したミラーベース（３０）を介して前記ドアに取付けられているアウトサイドミラーの取付け部の構造において、前記ミラーベースの表面に、車両側方に突出しかつ車両上下方向に延在する突条（３４）を設けた。【選択図】    図３
2008001116.tif 000002
【特許請求の範囲】
【請求項１】
車両側部のドアにアウトサイドミラーを備え、前記アウトサイドミラーは、ドアガラスの前側に隣接したミラーベースを介して前記ドアに取付けられているアウトサイドミラー取付け部の構造において、前記ミラーベースの表面に、車両側方に突出しかつ車両上下方向に延在する突条を設けたことを特徴とするアウトサイドミラー取付け部の水滴除去構造。
【請求項２】
前記突条の車両前後方向前方側の側面が、順傾斜面であることを特徴とする請求項１に記載のアウトサイドミラー取付け部の水滴除去構造。
【請求項３】
前記アウトサイドミラーが、前記ミラーベースの下部から車両側方に突出した支持部の上側に取付け角度を変更可能に設けられ、前記突条は、前記アウトサイドミラーの可動範囲と交錯しない高さで設けられていることを特徴とする請求項１または２に記載のアウトサイドミラー取付け部の水滴除去構造。
【請求項４】
前記突条は、車両上下方向に少なくとも前記アウトサイドミラーの範囲に亘って延在していることを特徴とする請求項１〜３のいずれか１項に記載のアウトサイドミラー取付け部の水滴除去構造。
【発明の詳細な説明】
【技術分野】
【０００１】
本発明は自動車の側部のドアに設けたアウトサイドミラーの取付け部の構造に関し、更に詳しくは、フロントウィンドの雨水等が走行時に生ずる空気流により車両側部に流れ、ドアガラスに付着、滞留するのを防ぐアウトサイドミラー取付け部の水滴除去構造に関する。
【背景技術】
【０００２】
雨天時もしくはウォッシャー液使用直後の走行において、フロントガラス及びルーフ等からフロントピラーに流れ伝った水滴が、走行風により車両側部のドアガラスに流れて付着し、滞留することにより、ドライバーの側方視界及びミラーの視認性を悪化させることがある。
【０００３】
例えば、図１および図２に示すようなドアミラー３付近の構成において、雨天時、フロントピラー４やガラスラン５を垂れ伝ってきた雨水や、フロントガラス６から流れてきたウインドウォッシャー液などの水滴Ｗが、ミラーベース３０の表面Ｘあるいは周囲に滞留し、ある程度の重みになるまで凝集すると、これらの水滴Ｗは、走行風によって車両側部に流れ、フロントピラー４からミラーベース３０を経由し、図２にＷ１で示されるようにフロントドア２のドアガラス７の前端側部分に付着する。この水滴Ｗ１は、ミラーベース３０やフロントピラー４とウィンドウガラス７との段差部において、走行風Ｆ１が剥離することによって生じる渦の影響で、後方に流れずにドアガラス７前端付近に滞留してしまい、ドライバーの側方視界及びミラー目視の妨げになる虞がある。
【０００４】
このような雨水の滞留を防止する方策としては、フロントウィンドガラス取付けゴム枠のフロントピラー基部に隣接した隅角部に、排水孔を設け、該排水孔を通じて雨水を排出させる技術が公知である。しかし、ゴム枠に形成できる排水孔の大きさには自ずと限界があり、排水孔に埃やゴミ等が詰まり雨水が排出できなくなる虞があり、排水孔および排水経路を設けるコストに見合う効果を期待できないばかりか、経年劣化により排水孔から亀裂を生じ易くなり、ゴム枠のシール性が損なわれる虞があった。
【０００５】
【特許文献１】実開昭６０−１０５５２０号公報
【発明の開示】
【発明が解決しようとする課題】
【０００６】
本発明はこのような実状に鑑みてなされたものであって、その目的は、簡易な構造により、フロントウィンドの雨水等のドアガラスへの付着滞留を防止し、ドライバーの側方視界及びミラーの視認性の悪化を防止できるアウトサイドミラー取付け部の水滴除去構造を提供することにある。
【課題を解決するための手段】
【０００７】
上記従来技術の有する課題を解決することを目的として、本発明は、車両側部のドアにアウトサイドミラーを備え、前記アウトサイドミラーは、ドアガラスの前側に隣接したミラーベースを介して前記ドアに取付けられているアウトサイドミラーの取付け部の構造において、前記ミラーベースの表面に、車両側方に突出しかつ車両上下方向に延在する突条を設けたことを特徴とする。
【０００８】
本発明において、前記突条の車両前後方向前方側の側面が、順傾斜面であることが好適である。また、前記アウトサイドミラーが、前記ミラーベースの下部から車両側方に突出した支持部の上側に取付け角度を変更可能に設けられている場合に、前記突条は、前記アウトサイドミラーの可動範囲と交錯しない高さであることが好適である。さらに、前記突条は、車両上下方向に少なくとも前記アウトサイドミラーの範囲に亘って延在していることが好適である。
【発明の効果】
【０００９】
上述の如く本発明は、車両側部のドアにアウトサイドミラーを備え、前記アウトサイドミラーは、ドアガラスの前側に隣接したミラーベースを介して前記ドアに取付けられているアウトサイドミラーの取付け部の構造において、前記ミラーベースの表面に、車両側方に突出しかつ車両上下方向に延在する突条を設けたので、突条が水滴を下方へ導くガイドとなり、ミラーベースのドアガラスに隣接した部分に水滴が滞留するのを抑制し、水滴を速やかに流下させることができるとともに、走行風で後方に流れる水滴を突条部分で飛散させ、除去することができる。さらに、突条により車両走行時におけるミラーベース上の気流の剥離が抑制されることで、ドアガラス前端付近での渦発生が抑制され、停車時等にドアガラス前端部に流下した水滴がその部分に走行中に滞留するのを防止できる。また、前記突条は、部品の追加等を行なわずに、ミラーベースの形状に僅かな変更を加えるだけで形成できるため、製造コスト的にも有利である。
【００１０】
また本発明において、前記突条の車両前後方向前方側の側面が、順傾斜面である態様では、走行風で後方に流れようとする水滴が、順傾斜面によって突条の先端部分に導かれ、より確実に飛散させて除去することができる。また、前記アウトサイドミラーが、前記ミラーベースの下部から車両側方に突出した支持部の上側に取付け角度を変更可能に設けられ、前記突条は、前記アウトサイドミラーの可動範囲と交錯しない高さである態様では、前記アウトサイドミラーの格納の妨げになることがない。前記突条は、車両側方に大きく張出す必要が無く、ごく僅かな高さで形成した場合にこそ良好な効果が得られる。さらに、前記突条は、車両上下方向に少なくとも前記アウトサイドミラーの範囲に亘って延在している態様は、ドライバーの側方視界及びミラーの視認性の悪化を防止するうえで好ましい。
【発明を実施するための最良の形態】
【００１１】
以下、本発明の実施形態について、図３〜図６を参照しながら詳細に説明する。なお、アウトサイドドアミラーの基本的な構成は図１、図２に示した例と同様であるため、同じ部材には同じ符号を付してある。
【００１２】
図３は、本発明の実施形態に係る水滴除去構造を備えたアウトサイドミラー３の取付け部（３０）を示す、側面図であり、アウトサイドミラー３は、車両側部のフロントドア２上部に配設されたドアガラス７の下端前方に設けられ、前記ドアガラス７の前側に隣接してフロントドア２の窓枠部分にミラーベース３０を介して取付けられている。
【００１３】
ミラーベース３０は、フロントドア２の下端前方の隅部を覆うとともに、窓枠に沿って上下に細長い略三角形をなし、このミラーベース３０の下部から外方へ向かって突出する支持体３１を備え、該支持体３１の上面側にアウトサイドミラー３（ミラーカバー３２）がその取付け角度を変更可能に取り付けられている。図６に示すように、ミラーカバー３２の車両前後方向の後面にはミラー３３が嵌め込まれ、ドアガラス７を通して、またはドアガラス７をドア２内部に降下させた場合には窓枠内側の開口部を通して、ミラー３３に映る車両後方向の状況を視認することができる。
【００１４】
そして、ミラーベース３０の表面には、水滴除去構造として、車両側方に突出しかつ車両上下方向に延在する突条３４が形成されている。突条３４は、その延在方向全長に亘って横断面形状が一様な略三角形状であり、車両前後方向両側の側面３４ａ、３４ｂが、それぞれ順傾斜（突条３４の突出方向に先細となる傾斜）を有する傾斜面、すなわち、車両後方に向かうにつれて次第に車両外側に向けて高くなる傾斜面（３４ａ）と反対に車両前方に向かうにつれて次第に車両外側に向けて高くなる傾斜面（３４ｂ）とで構成されている。
【００１５】
先述の通り、ドアガラス７の前方部に水滴が付着してしまう要因には、ミラーベース３０に水滴が滞留してしまうことが挙げられるが、この側面３４ａと３４ｂを水滴のガイドとして機能させることで、図３に示すように、水滴Ｗが下方に流れるのを促し、ミラーベース３０に水滴Ｗが滞留するのを防ぐことができる。
【００１６】
また、ドアガラス７の前方部に水滴が滞留してしまうもう一つの要因である、フロントピラー４からミラーベース３０を経由し、サイドドア２へ沿うように流れる気流を生ずる走行風についても、図５に示すように、順傾斜の側面３４ａを備えた突条３４をミラーベース３０に形成したことにより、ミラーベース３０上を流れる走行気流Ｆ２が、突条３４の側面３４ａにより剥離するので、ドアガラス７側に水滴Ｗ２が飛散するのが抑制されると同時に、走行風により生じる渦が抑制されることで、ドアガラス７の前端部に付着した水滴が滞留せず、ドアガラス７の下縁部まで流下させることができ、ミラー目視及びドライバーの側方視界の妨げとなるのが防止される。
【００１７】
さらに好ましい突条３４の特徴について説明すると、突条３４は、ミラーベース３０後方のドアガラス７前方部に水滴が飛散、滞留することを防ぐのを第一の目的としているため、水滴が走行風により、車両後方外側へ流されること、及び走行風がミラーベース３０後端部にて渦を巻くことを考慮すると、突条３４をミラーベース３０後方に位置させる方が効果的である。これにより、水滴がミラーカバー３２に当って跳ね返るのを防ぐことができる。また同時に、ミラーカバー３２内に収容されるミラー３３への水滴の付着も防ぐことができる。また、突条３４の上下の長さを、ミラーカバー３２内に収容されるミラー３３の上下方向の長さと略等しい長さか、それ以上とすることにより、ドアガラス７のミラー３３を視認するための範囲は少なくとも確保することができる。
【００１８】
また、突条３４の突出量はミラーベース３０からの高さ、すなわちミラーベース３０から側面３４ａと３４ｂ頂点までの距離が５ｍｍ程度あれば、十分に水滴の滞留を抑制し、フロントガラス７への水滴の飛散及び走行風によるミラーベース３０後端部の渦の発生を防げる。従って突条３４は、図６に示すようにミラーカバー３２の格納の妨げとなることなく設置することができる。さらに、突条３４は、ミラーベース３０と一体成型が可能であり、成形金型のコストアップを伴わず、かつ、ミラーベース３０の意匠性を損なうことなく、所望の効果を達成できる利点がある。
【００１９】
以上のように、フロントドア２に、ミラーベース３０を介して取付けられているアウトサイドミラー３の、前記ミラーベース３０表面に上下方向に延在する突条３４を形成した水滴除去構造により、雨天時もしくはウォッシャー液使用直後の走行において、フロントガラス６及びルーフ等より流れ伝った水滴がミラーベース３０の下方側に速やかに流下し、水滴の滞留が防止され、かつ、ミラーベース３０上を通過する走行風Ｆ２を、ドアガラス７から離れる方向に導くことで、ドアガラス７前端部での渦の発生が抑制され、それによる水滴の滞留が防止されることにより、ドライバーの側方視界及びミラーの視認性を確保することができる。また、本発明によれば、部品点数を増やすことなく、且つ簡易な構造により上記の効果を得ることができる。
【００２０】
以上、本発明の一実施形態について述べたが、本発明は上記実施形態に限定されるものではなく、本発明の技術的思想に基づいて各種の変形および変更が可能である。
【図面の簡単な説明】
【００２１】
【図１】アウトサイドミラーの取付け部付近の水滴の付着状況を示す斜視図である。
【図２】アウトサイドミラーの取付け部付近の水滴の付着状況を示す斜視図である。
【図３】本発明の実施形態に係るアウトサイドミラーの取付け部を示す側面図である。
【図４】図３のＡ−Ａ断面図である。
【図５】本発明の実施形態に係るアウトサイドミラーの取付け部を示す斜視図である。
【図６】本発明の実施形態に係るアウトサイドミラーの可動範囲を示す斜視図である。
【符号の説明】
【００２２】
２  フロントドア
３  アウトサイドミラー
４  フロントピラー
５  ガラスラン
６  フロントガラス
７  ドアガラス
３０  ミラーベース
３１  支持部
３４  突条
３４ａ，３４ｂ  側面（順傾斜面）
【図１】
2008001116.tif 000003
【図２】
2008001116.tif 000004
【図３】
2008001116.tif 000005
【図４】
2008001116.tif 000006
【図５】
2008001116.tif 000007
【図６】
2008001116.tif 000008